(57)【要約】【課題】本発明は、従来から恐れられている、津波の災害を防止する為に、防波堤を更に高くするとか、住民の居住地域を、海岸から遠く離れた高台へ移転する事なく、津波による災害を防止する事を可能ならしめ、更にそれと同時に大規模な発電基地、及び漁業基地の創設を、可能ならしめるものである。【解決手段】本発明は、津波防止装置なる装置を海上へ浮かべて、その津波防止装置を多数組合わせて、津波防止システムなる浮島を、海上へ創設する事により、その津波防止システムに、津波防止の作用、発電基地の作用  漁業基地の作用を行なわせるものである。【選択図】図１
2019127812.tif 000002
【特許請求の範囲】
【請求項１】
水に浮く物体に、水の中で柔軟に動く物体を取付けて、吊下げて使用する、津波防止装置。
【請求項２】
容器に気体を封入した水に浮く物体に、水の中で柔軟に動く物体を取付けて、吊下げて使用する、津波防止装置。
【請求項３】
津波防止装置を、多数、組合わせて使用する、津波防止システム。
【発明の詳細な説明】
【技術分野】
【０００１】  本発明は、津波による災害を防止する為のシステムである。
【背景の技術】
【０００２】  従来から、津波による災害を防ぐ為、多くの海辺の地域では、防波堤なる物が、設置されていたが、防波堤の防ぐ力が、津波の力に対応できず、津波の被害を受けてしまう事が多々あり、そのような地域では、次の津波による被害を防ぐ為に、防波堤の高さを、更に高くするか、又は、住民の居住地域を海辺から遠い高台の地域へ移転するしか、対処方法はなかった。しかし、そのような津波に対する対応処置を行なった場合、漁業関係者は、漁業をやりにくい状態になり、市役所及び学校も、海辺から遠く離れた高台へ移転した場合、海辺の地域はほぼ無人地帯となり、街全体の居住地域のバランスも大きく崩れ、漁業の街としては、かなり住みにくい街ななってしまう事になる。
【発明の概要】
【発明が解決しようとする課題】
【０００３】  本発明は、そのような、津波による被害を受けそうな街に於いて、防波堤を更に高くする事なく、市役所、学校等、住民の居住地域を、海辺から遠く離れた高台へ移転する事なく、津波に対する、災害防止力を高めて、津波に対する、災害防止をしようとするものである。
【課題を解決する為の手段】
【０００４】  本発明は、従来からの津波災害防止策の欠▲点▼を取除き、津波防止用の防波堤の高さを更に高くする事なく、住民の居住地域を、海辺から遠い高台の地域に移転する事なく  津波の被害を防止する事を目的として、発明されたものであるが、その詳細な内容に付いて記載すると、次のようになる。
【０００５】  本発明は、津波による災害を防止する為に、地域住民の住環境を悪化させない為に、津波防止装置なる物を、海上に設置するが、津波防止装置の構造  及び、設置場所  及び設置目的に付いて記載すると、次のようになる。
【０００６】  本発明の津波防止装置は、すべて同様の構造であるが、その使用目的  及び  設置場所によって、大規模  中規模  小規模の３種類があり、最も大きい大規模津波防止装置は、海底地震多発地帯に於いて、海底地震が発生した際、津波が発生するのを防止する為に設置されるものであり、使用目的は、津波発生防止装置という事になる。
【０００７】  中規模津波防止装置の場合は、大海の海底で地震が発生し、たまたま、大海に設置した津波発生防止装置の影響が及ばず、津波が発生してしまい、津波が陸地に向って進行して来た場合、大海の海上に於いて、津波の陸地への進行を、防止する為のものであり、使用目的は、津波進行防止装置という事になる。
【０００８】  小規模津波防止装置の場合は、別名、津波到達防止装置と言って、津波が陸地に到達する寸前の場所の海上へ設置して、従来から使用している防波堤と、ほぼ同等の使用目的で設置するものであり、従来からの防波堤だけでは、防ぎきれないほどの、津波のパワーを、この津波到達防止装置により弱体化させ、場合によっては、津波の破壊力としてのパワーの、すべてを、この津波到達防止装置の防波力で取防き、津波が陸地へ及ぼす、破壊力を、取除く事を、可能とするものである。
【０００９】  津波防止装置の構造について記載すると、次のようになる。津波防止装置の構造は、大きさの、大、中  小の差はあっても、その構造に付いては、ほぼ同一の構造であるが、その大きさの差によって使用目的が  大＝津波発生防止用  中＝津波進行防止用  小＝津波到達防止用  となるが、その詳細な構造に付いて記載すると、次のようになる。
【００１０】  本発明の津波防止装置の基本的構造は、水に浮く物体に、水中で使用する事を目的とする、物体を、取付けて、その水中で使用する物体を、吊り下げて使用する構造であるが、本発明の津波防止装置は、常に海水と接触して使用する物である為、水に浮く物体は、硬質プラスチック状の物体、水中で使用する物体は、ビニール状の物体であるが、いずれの場合も、海水と接触して、毒性物質を発生させない事が、材料素材の、基本的な条件となる。
【００１１】  この津波防止装置の説明に付いては、小規模  中規模  大規模の順での説明を行なう事とし、まずは、小規模津波防止装置の説明を行なう事とする。この小規模津波防止装置の場合、水に浮く物体に付いて説明すると、材質は全体的に硬質プラスチック状の物体であり、厚さ１０ｃｍ程度の硬質プラスチック状の材質を使用する。
その形状は、一辺が３ｍの４角形であり、その高さ、つまり厚さは１ｍの平べったい箱形容器に気体、つまり空気を封入した４角形の箱形容器であり、その中央部には、容器を貫通した直径１ｍの円筒形の穴があり、その円筒形の穴の上部には、水中で使用する物体を水に浮く物体に取付ける為の取付け穴部が設けてあり  水中で使用する物体は、この円筒形の穴に設けてある取付け穴部に於いて、水に浮く物体に取付けられる事になる。  尚、津波防止装置の水に浮く物体は、津波防止装置の本体と言うべき物であるが、津波防止装置の水に浮く物体に付いては、それなりの特徴を表示する必要がある為、以降、多くの場合、水に浮く箱形物体としても、表示する事とする。
【００１２】  次に、水に浮く箱形物体に取付け、水中に吊り下げる物体に付いて説明すると、これはビニール状の柔軟な物体であり、この物体に付いては、巨大逆さ模擬コンブと言うべきであり  つまり、北海道で取れる真コンブのような物であるが、真コンブより、はるかに巨大で、真コンブは、海底に根づき、上方へ伸びて行くが、本発明の巨大逆さ模擬コンブは、実際にはコンブではなく、コンブをまねた模擬コンブであり、水上から水中に向って吊り下げられる物である為、巨大逆さ模擬コンブであるが、逆さを省略し、模擬を片カナのモギに変更し、巨大モギコンブと命名する。
【００１３】  小規模な津波防止装置の、巨大モギコンブに付いて記載すると、次のようになる。巨大モギコンブの全体像としては、柔軟なビニール状の物体であり、横幅は９０ｃｍ、厚さは１０ｃｍであり、水に浮く箱形物体の中心部にある円筒形の穴から水中へ投入されて使用する物であるが、長さに付いては設置する場所の調査をしなければ、正確な長さを算出する事はできないが、２００ｍから３００ｍの長さが、最も適切な長さである。
【００１４】  巨大モギコンブの、水に浮く箱形物体を用いた、水中への設置方法に付いて記載すると次のようになる。巨大モギコンブは、水に浮く箱形物体に重力を掛けて、浮力の負担を掛けるのは好ましくない為、その比重を海水と同等の軽さにするが、比重が海水と同等になる事により、海水中でフワフワと横になったりしたら、まずいので、巨大モギコンブの先端に重りを付け、巨大モギコンブが水中で、水に浮く物体に対して垂直な体勢を維持できるようにする。
【００１５】  巨大モギコンブを設置するに当っては、水に浮く箱形物体の円筒形の穴から海中へ投入する方法で、設置する事になるが、設置すべき巨大モギコンブの長さは、２００ｍから３００ｍの間の長さが好ましく、最も好ましい長さは、２５０ｍ程度の長さであるが、この長さの巨大モギコンブを、１本の長さとして、直接、海水へ投入する事は、かなりの困難が生じて来る為、長大モギコンブの巨さは、一応１００ｍの長さの巨大モギコンブに分割し、１００ｍの長さの巨大モギコンブを、つなぎ合わせる事により、目的とする長さの巨大コンブの設置を、可能ならしめる事とする。これに付いて、１例として記載すると、ある小規模な津波防止装置を設置すべき現場で、必要とする巨大モギコンブの長さが、２５０ｍであった場合の、巨大モギコンブの設置方法としては、まず１００ｍの長さの巨大モギコンブを海中へ投にし、その末端に於ける、１００ｍの長さの巨大モギコンブの、先初に海中へ投入した側の先端には、巨大モギコンブを海中で垂直な体勢を維持させる為の、重りを取付け、１００ｍの巨大モギコンブの他方の末端、つまり上方の先端には、次の１００ｍの長さの巨大モギコンブと、つなぎ合わせる為の、巨大モギコンブ折返し部を設けて、次の１００の長さの巨大モギコンブ折返し部と、つなぎ合わせる事により、１００ｍ＋１００ｍ＝２００ｍの長さの巨大モギコンブとする事になる。更に、２本目の１００ｍの巨大モギコンブの先方の先端にも折返し部が設けられており、つなぎ合わせる為の、長さ５０ｍの巨大モギコンブ折返し部と、つなぎ合わせて、巨大モギコンブの長さは、１００ｍ＋１００ｍ＋５０ｍ＝２５０となり、５０ｍの長さの巨大モギコンブの上方先端にも折返し部が設けられているが、この折返し部は、この津波防止装置としての、巨大モギコン部の長さが、予定通りの長さに達した為、この部分の巨大モギコンブ折返し部は、津波防止装置本体としての、水に浮く箱形物体の中央部に設けられている、巨大モギコンブ取付け部に於いて、巨大モギコンブを、巨大モギコンブ取付け棒に引っ掛けて、津波防止装置本体へ取付られる為に用いる事になる。
【００１６】  津波防止装置に於ける津波防止装置本体と、巨大モギコンブとの関係に於いて、津波防止装置本体の円筒形の穴から、巨大モギコンブを海中へ投入した後、巨大モギコンブを、津波防止装置本体へ、固定的に取付ける事になるが、その取付け方法  及び、巨大モギコンブ同士を接続する際の接続方法、及び津波防止装置同士を組合わせて津波防止システムにする際の、津波防止装置同士を、組合わせる為の、組合わせ取付け方法に付いて記載すると、次のようになる。
【００１７】  津波防止装置本体に、巨大モギコンブを取付ける方法としては、津波防止装置本体の円筒形の穴の、水面上部に巨大モギコンブを、固定軸に取付ける事になる。その方法としては、津波防止装置本体に設けた、直径１ｍの、円筒形の穴の最上部に、津波防止装置本体の上から見た場合、円筒穴の外周として、幅１５ｃｍ、深さ１５ｃｍの外周を設ける。つまり、津波防止装置本体の上から見た場合、津波防止装置本体としての、１辺が３ｍの水に浮く箱形物体の中心部に、箱形物体の１ｍの厚さを貫通した直径１ｍの円筒形の穴があり更に、その円筒形の穴の上部に円筒形の穴に重複する状態で、外周として、幅１５ｃｍ、深さ１５ｃｍ  直径で１ｍ３０ｃｍの外周穴が存在する、という事になる。
【００１８】  津波防止装置本体の、円筒形の穴を通じて海中へ投入される、巨大モギコンブの長さ１００ｍの両端の部分は、巨大モギコンブ同士をつなぎ合わせる場合の為  及び  巨大モギコンブを、津波防止装置、本体の円筒形の穴の  水上部分に固定的に取付る為に、垂直に見た場合、上端は、逆∪字形、つまり、∩のように曲っており、下端は、∪字のように曲った形状となる。
【００１９】  津波防止装置本体に、巨大モギコンブを固定的に取付けるに当っては、津波防止装置本体に設けられた、円筒形の穴の上部に、更に大きな円周、幅１５ｃｍ、深さ１５ｃｍ、直径１ｍ３０ｃｍの、巨大モギコンブ取付け固定部の部分を、使用して行なわれる事になる。
【００２０】  又、巨大モギコンブを、津波防止装置本体へ、固定的に取付ける為には、巨大モギコンブ上方先端の、逆∪字形の部分、つまり∩の部分を引っ掛ける為の固定棒を、用いる事になる。
【００２１】  巨大モギコンブを、津波防止装置本体の、円筒形の穴の部分に、固定的に取付ける為の方法に付いて記載すると、次のようになる。
【００２２】  津波防止装置本体に設けられている、巨大モギコンブを海中へ投入する為の円筒形の穴は、直径が１ｍあり、巨大モギコンブの横幅は、９０ｃｍである為、巨大モギコンブを円筒形の穴から、海中へ投入する事は容易であるが、巨大モギコンブを円筒形の穴へ、固定的に取付ける為には、それなりの方法を、考えなくてはならない。
【００２３】  そこで津波防止装置本体に、巨大モギコンブを取付ける上での絶対条件として、工事方法が簡単である事、及び、巨大モギコンブの、津波防止装置本体への取付け部分が、津波防止装置本体の、上方平面より突出しない事が、絶対条件となるが、その理由としては、津波防止装置を津波防止システムとして利用する為には、それなりに数多くの津波防止装置の設置工事を行なわなくてはならない為、設置工事は、簡単な方法で行なわなくてはならない。又、津波防止装置を数多く組合わせて、津波防止システムとして使用する際、津波防止システムの上面を人が歩き、フォークリフト及び自動車が走行する事になる為、津波防止装置本体の平面上部に、巨大モギコンブの取付け部が突出しては、ならない事になる。つまり津波防止装置本体の上部での、交通のさまたげにならないとの、事性が生じて来る事になる。
【００２４】  本発明は、津波防止装置本体への、巨大モギコンブ取付け工事が簡単である事  及び、巨大モギコンブの津波防止装置本体への取付け部分が、津波防止装置本体の表面から突出しない事との双方の条件を満たす為の工事方法を実施する為に、津波防止装置本体に設けられている円筒形の穴に、１回り大きい円周の切り込み部分として、円筒形の穴から外部へ横幅１５ｃｍ、深さ１５ｃｍ、円筒形の穴のと重複させて、直径１ｍ３０ｃｍの穴部を設ける事とし、これによって津波防止装置本体への巨大モギコンブの取付け部分が、津波防止装置本体の表面に突出する事なく、直径１ｍ３０ｃｍ、深さ１５ｃｍの  巨大モギコンブ取付け部の中での取付けが、可能となる。
【００２５】  津波防止装置本体に於ける箱形物体の中央部を貫通する、円筒形の穴  及び  円筒形の穴の上部外周に設ける、直径１ｍ３０ｃｍ、深さ１５ｃｍの巨大モギコンブ取付けけ部に付いては、津波防止装置本体を工場で製造する際、津波防止装置本体の構造、その物として、工場で製造され  又、直径１ｍ３０ｃｍの、上方を自動車が走行しても、破損しない、強力な、巨大モギコンブ取付け部のフタも、津波防止装置本体を製造する際、工場で製造される物である為、津波防止装置の設置現場で何等、困難を供なうものではない。
【００２６】  次に、津波防止装置本体に於ける、巨大モギコンブ取付け穴部で巨大モギコンブを、津波防止装置本体へ取付ける方法に付いて記載すると、次のようになる。
【００２７】  津波防止装置本体に設けられている、巨大モギコンブ取付け穴部は、津波防止装置本体に、巨大モギコンブを取付ける為に、設けられているものであるが、その構造は、津波防止装置本体の中央を貫通する、円筒形の穴の上部で重複する部分となるが、本来、円筒形の穴は、津波防止装置本体の上面まで達するはずであるが、津波防止装置本体の上面、中央の、下方へ１５ｃｍまでの部分で、横幅、直径１ｍの円筒形の穴は、直径１ｍ３０ｃｍの、巨大モギコンブ取付け穴部となり、その部分で巨大モギコンブの津波防止装置本体への取付け工事が行なわれる事になる。
【００２８】  巨大モギコンブを、津波防止装置本体へ、取付けるに当っての、具体的な巨大モギコンブの構造、及び  取付け工事に必要な部品等に付いて記載すると、次のようになる。
【００２９】  必要とする長さの巨大モギコンブを、津波防止装置本体へ固定的に、取付けるに当っては  津波防止装置本体に設けてある、円筒形の穴の上部の、巨大モギコンブ取付け穴部で  巨大モギコンブに於ける上部先端の∩部分と、下部先端の∪形部分を用いての、津波防止装置本体への、取付け工事が、行なわれる事になる。
【００３０】  その取付け工事方法として小規模津波防止装置の場合で、巨大モギコンブの長さ、２５０ｍの場合の例として、記載すると、まずは、１００ｍの長さの巨大モギコンブ津波防止装置本体に設けてある、円筒形の穴から、海中へ投入する事になるが、その巨大モギコンブの下部先端には巨大モギコンブが、津波防止装置本体に対して、垂直な体勢を維持する為の、適正な重量の重りが取付けられて、巨大モギコンブは、海中へ投入されて行く事になる。
【００３１】  津波防止装置本体の、円筒形の穴から海中へ投入された、巨大モギコンブは、上部先端部分を水面上に残し、上部先端の∩形の部分で、次の１００ｍの長さの、巨大モギコンブと接続される事になるが、その接続方法は、先の巨大モギコンブの上部先端の∩形部分と、次の１００ｍの長さの巨大モギコンブの下部先端の、Ｕ形部分の組合わせによって、接続され、その接続部分は、固定具によって、しっかりと、固定される事になる。
【００３２】  全長２５０ｍの巨大モギコンブを設置する場合、２本目のモギコンブも、上部先端の一部を残し、他の部分は、海中へ投入し、水面上に残した先端部分と、次につなける長さ５０ｍの、巨大モギコンブと接続する事になるが、この場合も、先に接続した、１００ｍの巨大モギコンブと、次の１００ｍの巨大モギコンブを接続した場合と同様の接続方法での、接続を行なう事とする。
【００３３】  全長２５０ｍの巨大モギコンブを設置する場合、１００ｍ＋１００ｍ＝２５０ｍとなり、最後の５０ｍの巨大モギコンブをつなぎ合わせた場合、その５０ｍの長さの巨大モギコンブは、津波防止装置本体に固定的に、固定的に取付ける事になるが、その固定的に取付ける為の方法に付いて、記載すると次のようになる。
【００３４】  １００ｍの長さの巨大モギコンブに接続した、５０ｍの長さの巨大モギコンブの、上方の先端部分は逆Ｕ字形、つまり∩のようになっているが、巨大モギコンブを、津波防止装置本体へ、固定的に取付けるに当っては、巨大モギコンブの、逆Ｕ字形、∩の部分を使用する事になり、津波防止装置本体に設けられた円筒形の穴の上部の、巨大コンブ取付け穴部で、津波防止装置本体に、固定的に取付けられる事になる。
【００３５】  津波防止装置本体への、巨大モギコンブの固定的な取付け方法としては、円筒形の穴の上部の、巨大モギコンブの取付け穴部にて、巨大モギコンブの上部先端に於ける、逆Ｕ字形、∩部に、取付け棒を差し込み、その取付け棒に、巨大モギコンブの∩の部分が、引っ掛かるように取付け、その取付け棒を、円筒形穴の上部、巨大モギコンブ取付け穴部に、しっかり取付ける事により、巨大モギコンブは、津波防止装置本体に、固定的に取付けられる事になる。
【００３６】  津波防止装置本体への、巨大モギコンブの固定的な、取付け方法に付いて、各部分ごとの詳細な説明を行なうと、次のようになる。
【００３７】  津波防止装置本体の、円筒形の穴の上部の、巨大モギコンブ取付け穴部で使用する、巨大モギコンブ取付け棒は、海水に接触しても、サビない材質の強力な棒を使用し、その長さは、１ｍ２５ｃｍであり、円筒形の穴に於ける、巨大モギコンブ取付け穴部の直径１ｍ３０ｃｍより５ｃｍ短かく、円筒形の穴の直径１ｍより２５ｃｍ長い、長さとなる。それ故に津波防止装置本体の円筒形の穴から、水面上に突き出している巨大モギコンブの上端の取付け部へ、取付け棒を差し込む事により、巨大モギコンブは取付け棒に、固定的に取付けらる、尚、取付け棒は円筒形の穴の直径、１ｍより長い為、巨大モギコンブは円筒形の穴からずり落ちる事なく、取付け棒によって、取付け穴部での取付け固定を維持され、更に取付け棒を、取付け穴部に留め具によって固定すれば、巨大モギコンブは津波防止装置本体へ、しっかりと、固定的に取付けられる事になる。
【００３８】  次に、各津波防止装置を組合わせて、津波防止システムを作成する為の、各津波防止装置の、組合わせ取付け構造、及び、取付け方法に付いて記載すると、次のようになる。
【００３９】  小規模な津波防止装置の場合、津波防止装置本体は、１辺が３ｍ、厚さが１ｍの４角形の箱形物体であるが、４角形を構成している各辺にそれぞれ、他の津波防止装置との組合わせを行なう為の、取付け部が設けられている。
【００４０】  各津波防止装置の組合わせ取付け部は、しっかりした、強固な津波防止システムを作成する為に、頑丈で、強固な取付け部にする必要がある為、海水に接触してもサビる事のない、強固な金属を用いて作成する必要がある。その構造は、４角形の各１辺が、３ｍある、ほぼ中央部に、幅１ｍ、箱形物体の厚さに順じ、下方へ１ｍの金属板による、
2019127812.tif 000003
固定ピンを打込んで、それぞれ２個の津波防止装置を、組合わせ、連結させる事とする。
【００４１】  本発明の特徴は、海中へもぐる事なく、海面上のみでの設置工事を行なえる事も、含まれており、本発明に於ける津波防止装置を連結して、津波防止システムを作成する場合の、設置工事方法として、津波防止装置本体としての、水に浮く箱形物体に於ける連結の為の取付け部及び取付け固定ピンは、津波防止装置の製造工場に於いて、製造されて来る物であり、設置工事現場で実施する作業は、作業員が、津波防止装置を２つ並べて、双方の取付け部に取付け固定ピンを差し込んで、大ハンマーを使用して、取付け固定ピンを、取付け部の、最下部まで打ち付ける事により、津波防止装置、同士の連結は完了する事になり、つまり、水面上の作業のみで、津波防止装置を用いて、津波防止システムを作成する作業は、可能となる。
【００４２】  本発明の、小規模な津波防止システムを作成するに当っては、小規模な津波防止装置の組合わせ連結によって、立て２ｋｍ  横５ｋｍの浮島としての、津波防止システムが作成される事になるが、その作成方法としては、各津波防止装置の、４つの辺にある取付け部が、すべて使用され取付け連結される事によって、浮島としての、津波防止システムが作成される事になる。
【００４３】  立て２ｋｍ、横５ｋｍの津波防止システムとしての浮島を作成するに当って、浮島全体に防水シートを敷き詰める事になるが、本発明に於いてはどのような、防水シートを使用するか、に付いては、関知しない事とする。
【００４４】  小規模な津波防止システムの設置場所及び、なぜ、その場所に設置するのか、に付いて記載すると、次のようになる。
【００４５】  小規模な津波防止システムは、別名  津波到達防止システムと言い、陸上の海岸に設置する、防波堤と同等の役目を果たす物であり、押し寄せて来た津波が、陸地へ到達する事を防止する為の、システムであるが、押し寄せて来た津波を１００％防止できる訳ではなく、それなりの津波のパワーは、津波防止システムを、すり抜けて、陸地へ到達する事になるが、津波防止システムの設置場所としては、通常の津波が陸地へ到達しての戻り波と、新たに押し寄せて来た津波が合流する、海上に於ける地▲点▼が、設置場所としては、最も適している。
【００４６】  但し、本発明の使用目的は、津波防止対策の他に、津波防止システムとしての、浮島を利用しての、漁礁を作成しての、漁業基地としての役目も兼ねており、津波に於ける戻り波と、新たに押し寄せて来る津波の合流地▲点▼の水位が、あまりにも浅いと、例えば、合流地▲点▼の水深が、５０ｍ程度であったとすると、漁礁の作成が困難であり、漁業基地としての利用が不可能となってしまう為、津波防止対策としての、津波到達防止機能に大きな支障をきたさない限りに於いては、水深２５０ｍ程度の位置に、津波到達防止システムの設置を行なうべきである。又、津波到達防止システムを設置するに当っては、その設定する位置が、引き潮の際、巨大モギコンブの下方の先端が、海底に接触するようでは、設定位置としては、好ましくなく、引き潮の際、少なくても、巨大モギコンブ下方の先端が、海底との間隔、５ｍ程度は、必要となる。
【００４７】  本発明の、小規模な津波防止システムとしての浮島は、通常、台風、高波、及び津波が発生した場合、浮島自体が流されて移動してしまっては、何の役にも立たない事になる為、設置した位置へ、しっかりと固定する事が必要となる。その固定方法としては、大型船が停泊する際使用するような、巨大な錨を、必要とする数量を取付けて、しっかりと固定する事が必要となる。
【００４８】  津波のパワーと、津波のパワーを阻止する防波堤、及び、津波到達防止システムとの、力関係に付いて説明すると、次のようになる。津波は海底で地震が発生すると、さまざまな大きの津波が発生し、どの地域に、どの大きさの津波が発生するかを、あらかじめ知る事はできないが、津波を防ぐ防波堤に付いては、あらかじめ、どの程度の大きさの津波に対応して、津波を防ぐ事が可能かに付いて、前もって計算する事が可能であり、津波到達防止システムの場合も、防波堤と同様に、どの程の津波に対応して、津波を防ぐ事ができるかに付いて、知る事が可能である。
【００４９】  津波の力と、防波堤及び津波到達防止システムとの力関係を、幾つかの例を用いて説明すると、次のようになる。但し津波の力、＋１、に対して、防波堤及び津波到達防止システムの力、−１、は、プラス、マイナスの違いはあっても、同等の力であるものとする。つまり、津波の力＋１＋防波堤の力−１＝０であり、津波の力＋１＋津波到達防止システムの力−１＝０あり、（＋１）＋（−１）＝０であり、（＋１）と（−１）は、＋、−の違いはあっても、同等の力である。
【００５０】  例１、津波到達防止システムの津波防止力が−７  防波堤の津波防止力が、−３の所へ、津波力＋５のパワーの津波が押し寄せて来た場合津波到達防止ステムの津波防止力−７＋防波堤の津波防止力−３＝津波防止力＝−１０となり  津波力パワー＋５＋津波防止力−１０＝津波防止力＝−５となり、津波は、津波の防止力によって防止される事になる。
但し、実際の所、津波＋５は、海上に設置された、津波到達防止システム−７の津波防止力のみでも、防止される事になる。
【００５１】  例２  津波到達防止システムが存在せず、防波堤の津波防止力が−３であった所へ、津波力＋５の津波が押し寄せて来た場合、津波力パワー＋５＋防波堤の津波防止力−３＝津波力パワー＋２となり、防波堤の津波防止力−３は、津波の津波力パワー＋５を防止する事ができず、津波は防波堤を越えて、街へ侵入する事になる。
【００５２】  津波到達防止システムの津波防止力が−７、防波堤の津波防止力が−３の所へ、津波力＋８の、巨大津波が押し寄せて来た場合、津波到達防止システムの津波防止力が、−７であり、津波の津波力パワーが＋８である為、津波力パワー＋８＋津波防止力−７＝津波力パワー＋１となり、津波は、津波到達防止システムを、＋１の津波パワーで通過して行くが、その先に防波堤の津波防止力−３が存在している為、津波力パワー＋１＋津波防止力−３＝津波防止力−２となり、津波は防波堤を通過できず、津波は街への侵入を防止される事になる。
【００５３】  小規模津波防止システムに付いて記載すると、次のようになる。そもそも、津波防止システムとは、津波防止装置の集合体であり、又、小規模津波防止システムとは、小規模な津波防止装置の集合体であり、集合体としての数量も少なく、それ故に小規模津波防止システムと、命名される事になる。
【００５４】  小規模津波防止システムの、実質的な規模としては、立てが２ｋｍ、横が５ｋｍの、浮島状形態を成すものであり、海上にあって、陸上にある防波堤と同等の役目を果たすものであり、それ故に、役目柄、津波が陸上へ到達する事を防止する意味で、別名、津波到達防止システムと、称されるものである。
【００５５】  津波到達防止システムの設定位置としては、津波が防波堤へ押し寄せて来るパワーを弱める事が目的である為、防波堤の前面の海上が適しているが、最も好ましい設置場所としては、従来からの津波に於いて、津波の戻り波と、新たに押し寄せて来た波が、合流する地▲点▼が、津波防止上で最も効果があるが、別の意味で、津波到達防止システムの設置場所は、水深：２００ｍ〜３００ｍの場所が望まれる為、戻り波と、新たな津の合流▲点▼が浅かった場合には、水深が、２００ｍ〜３００ｍの地▲点▼を優先的な、設置場所とする。
【００５６】  本発明の、津波到達防止システムに於いては、津波防止対策の他に、立て２ｋｍ、横５ｋｍの浮島を利用しての、水面上に於いては、自然エネルギーを利用しての、発電基地、水面下を利用しての、漁業基地としての使用が可能となる。
【００５７】  中規模な津波防止装置、及び中規模な津波防止システムに付いて記載すると、次のようになる。
【００５８】  中規模な、津波防止装置の構造に付いて記載すると、次のようになる。中規模津波防止装置の構造自体は、小規模津波防止装置の構造と、同等の構造をしているが、構造物としての、各部品の大きさが異なるものであり、中規模津波防止装置の、各部品の大きさに付いて記載すると、次のようになる。
【００５９】  中規模津波防止装置に於ける、津波防止装置本体としての、水に浮く箱形物体に於ける、正方形を形成する各１辺は、６ｍとなる。箱形を形成する、立て、つまり厚さの部分は２ｍ、箱形物体を貫通する円筒形の穴は、円筒形の直径が２．０ｍ円筒形の穴、つまり箱形物体を貫通する穴の長さは、箱形物体の厚さに順じて２ｍとなる。尚、津波防止装置本体としての、箱形物体を構成している、硬質プラスチック系材料の厚さは、全体的に１５ｃｍの厚さの物を使用する事となる。次に、円筒形の穴の上部にある、巨大モギコンブ取付け部は、円筒形の穴と、一部が重複しているが、その直径は、２．６ｍ  深さは３０ｃｍとなる。その巨大コンブ取付け部から、円筒形の穴を径て海中へ投入する、巨大モギコンブは、横幅が１．８ｍ、厚さが１５ｃｍとなり、その長さは、３００ｍ〜４００ｍの長さが適している。中規模津波防止装置が、他の津波防止装置と連結して、津波防止システムを作成する為の、津波防止装置連結部は、中規模津波防止装置を作成している、津波防止装置本体としての、水に浮く箱形物体の、４つ、それぞれの６ｍの各辺に於ける、中間部分に、幅２ｍ、及び箱形物体の厚さに順じた、立ての長さ２ｍの、津波防止装置、連結部を設け、これ等の中規模波波防止装置を、連結、接続させる為に、幅１．９ｍ  長さ２ｍの固定ピンを用いて、中規模津波防止装置と、中規模津波防止装置の連結部の間に差し込んで、大ハンマーによって打込み、中規模津波防止装置同士を、連結し、固定させる事とする。
【００６０】  中規模津波防止システムに付いて記載すると、次のようになる。津波防止システムとは、津波防止装置の集合体であるが、津波防止システムとしては、小規模津波防止システム、中規模津波防止システム、大規模津波防止システムの、３ランクがあり、中規模津波防止システムは、小、中、大ある３ランクの中の、中間ランクの津波防止システムという事になり、その詳細に付いて記載すると、次のようになる。
【００６１】  中規模津波防止システムは、中規模津波防止装置の集合体であり、その設置目的、及び設置場所から言って、大海に於いて津波が発生した場合、その津波が陸地に向って進行するのを防止する為に、用いる物である。
【００６２】  その中規模津波防止装置の集合体としての、中規模津波防止システムの規模は、立てが、５ｋｍ、横が１０ｋｍの浮島を形成する状能となり、浮島の水面上は、自然エネルギーを使用しての、発電基地としての役目を行ない、浮島の水面下に於いては、漁礁を作成しての、漁業基地としての、役目を行なうものである。
【００６３】  大規模な津波防止装置、及び大規模な津波防止システムに付いて記載すると、次のようになる。
【００６４】  大規模な津波防止装置の構造に付いて記載すると、次のようになる。大規模津波防止装置の構造自体は、小規模津波防止装置と同等の構造しているが、構造物としての各部品の大きさが異なるものであり、大規模津波防止装置の各構造物の大きさに付いて記載すると、次のようになる。
【００６５】  大規模津波防止装置に於ける、津波防止装置、本体としての、水に浮く箱形物体の正方形を形成する各辺は、９ｍとなる。又、箱形物体を形成する立ての部分、つまり、厚さは３ｍ、箱形物体を貫通する穴の直径は２ｍ、円筒形の穴の長さは、３ｍとなる。尚、津波防止装置本体としての、水に浮く箱形物体を構成する、硬質プラスチッ系材料の厚さは、全体的に２０ｃｍの厚さの物を使用する事とする。
次に、円筒形の穴の上部にある、巨大モギコンブ取付け穴部は、円筒形の穴と、一部重複しているが、その直径は、２ｍ５０ｃｍ、その深さは、８０ｃｍとなる。
その円筒形の穴から、海中へ投入する巨大モギコンブは、横幅が、１ｍ７０ｃｍ、厚さが、２０ｃｍとなる。この大規模津波防止装置に於ける、巨大モギコンブの長さは、５００ｍ〜６００ｍの間の長さが適しており、仮に巨大モギコンブの長さを、５５０ｍとして、この巨大モギコンブを、津波防止装置本体の円筒形の穴から、海中へ投入する場合、この場合も、５５０ｍの長さの巨大モギコンブを１本、１度に海中へ投入する事は、やりずらい為、１００ｍの長さの巨大モギコンブを５本、プラス５０ｍの巨大モギコンブを１本、という事になり、まずは、１００ｍの長さの巨大モギコンブを１本、海中へ投入し、次の１００ｍの長さの巨大モギコンブを、つなぎ合わせて、最終的には、５０ｍの長さの巨大モギコンブを、つなぎ合わせて海中へ投入する、という方法で、５５０ｍの長さの巨大モギコンブを、海中へ投入する、という事になる。大規模津波防止装置が、他の大規模津波防止装置と連結して、大規模津波防止システムを作成する為の、津波防止装置連結部は、大規模津波防止装置としての、水に浮く箱形物体の４つの辺、それぞれに於ける中間部に、幅３ｍ、及び、箱形物体の厚さに順じた、立ての長さ３ｍの、津波防止装置連結部を設け、これ等の大規模津波防止装置を連結、接続させる為に、幅２ｍ９０ｃｍ、長さ３ｍの固定ピンを用いて、大規模津波防止装置の連結部と、他の大規模津波防止装置の連結部との間に、固定ピンを差し込んで、大ハンマーによって、固定ピンを打込んで、大規模津波防止装置同士の、連結、接続を、させる事とする。
【００６６】  津波防止システム、いわゆる、津波発生防止システム、津波進行防止システム、津波到達防止システム、には、副次的な使用方法として、津波防止システムが形成する浮島をを使用しての、浮島の水面上に於ける、自然エネルギーを使用しての発電基地、浮島の水面下に於いては、漁礁を用いての、漁業基地としての使用が考えられるが、浮島の水面上に於ける発電基地、及び  浮島の水面下の漁礁を使用しての、漁業基地に付いて記載すると、次のようになる。
【００６７】  津波防止システムに於ける、浮島の水面上に設置する、自然エネルギーを使用しての、発電基地に付いて記載すると、次のようになる。
【００６８】  津波防止システムに於ける浮島に設置する発電基地は、自然エネルギーとしての、太陽光を使用した太陽光発電、風力を使用した風力発電、浮島周囲の波力を使用した、波動力発電を行なう事とする。
【００６９】  津波防止システムに於ける浮島の、大規模津波防止システムとしては、立てが１０ｋｍ、横が２０ｋｍの浮島、中規津波防止システムとしては立てが５ｋｍ、横が１０ｋｍの浮島、小規模津波防止システムとしては、立てが２ｋｍ、横が５ｋｍの浮島で、すべて同様に、自然エネルギーを使用しての、太陽光発電、風力発電、波動力発電を行なう事とする。
但し、浮島の水面上の面積として、１０％程度は、漁業基地として使用する事になる為、浮島に於ける発電基地としての使用面積は、９０％程度の面積となる。
【００７０】  ここで、１つ注意すべき▲点▼として、台風との遭遇があるが、これは、台風と遭遇する事を前堤とした上で、各発電設備を設置すべきであり、太陽光発電に於いて、コンテナ状物体を使用した場合、コンテナの下面を除き、上面及び各側面に太陽光パネルを使用するならば、容易に台風からの被害を防ぐ事が可能であり、太陽光パネルは、太陽光に、直角に設置すべきとは言っても、コンテナの、ほぼ全面に、太陽光パネルを取付けたコンテナを、数百台、数千台と、設置したならば、かなり多くの自然エネルギーが得られるはずであり、太陽光パネルに於いて更に効率の良い物を開発するならば、より多くの自然エネルギーが得られる事になる。これは、風力発電、及び波動力発電に付いても同様であり、少し工夫する事により、台風からの被害を容易に防ぐ事ができ、大きな自然エネルギーを得る事ができる。
【００７１】  次に、津波防止システムの浮島としての、水面下の部分に於ける、漁礁に付いて記載すると、次のようになる。一般に漁礁と言えば、海底に岩や船を沈めて、魚が集まり、住み易すい場所の事を言うが、津波防止システムの場合、海底ではないが、水面下であり、魚が集まり、住み易すい環境という目的に於いては、漁礁と言うべきであろうと思われる。その津波防止システムに於ける、漁礁の作成方法としては、大規模津波防止システムを例とした場合、浮島に於ける立て、１０ｋｍ  横２０ｋｍの水面下、全域を、漁礁とするものであり津波防止装置本体としての、水に浮く箱形物体から、水深５００ｍまで吊り下げられた、巨大モギコンブを使用するものであり、潜水夫が海にもぐって、容易に作業のできる範囲、つまり水面下最上部から、水深２００ｍの範囲内の巨大モギコンブに、水面下の立て、１０ｋｍ、横２００ｋｍの、それぞれに、ロープを取付けて、巨大モギコンブを用いた、１種のクモの巣状能を作成して、水深ごとに、最初の１段目としては、水面から見て、水深１０ｍの部分の巨大モギコンブに、水面下の、立て１０ｋｍ、横２０ｋｍの全体にロープを取付けて、クモの巣状態エリアを作成する、という方法で、水深２００ｍに至るまでの間に、２０段のクモの巣状エリアを設け、それぞれ、各段の、クモの巣状エリアには各段ごとに、海水と同じ比重の、大、中、小それぞれの箱を、数千個、取付けて、魚の産乱場所、小魚の避難場所、等の使用目的として、取付ける事によって、漁礁としての、使用を行なう事とする。
【００７２】  尚、立て１０ｋｍ  横２０ｋｍの、浮島の上面上の一部、つまり、１０％程度の部分は、取った魚の集積所、及び、取った魚を街へ移送する為の、魚業基地が必要であろうと思われる為、魚業基地としての、使用を行なう事とする。尚、本発明の津波防止装置としては、水に浮く物体として、材木組合わせてイカダを作成し、大きめの長いビニールを、そのイカダから、水面下へ吊り下げての津波防止装置を作成し、更に、その津波防止装置を数多く組合わせて、津波防止システムとしての、浮島を作成する事も可能であるが、長期的に、安定した状態で、津波防止システムとしての、浮島を使用する為には、やはり、耐久性プラスチック材を使用しての、浮島の使用が、必要であろうと思われる。
【発明の効果】
【００７３】  上記のように、津波防止装置は津波防止装置、本体としての、水に浮く箱形物体の作用により、海上に浮く事が可能となり又水に浮く箱形物体から海中へ投入する、巨大モギコンブの作用により、海上に於ける津波による破戒活動の、波動力の進行を防止する事ができる為、海上にあって、陸上に設置する防波堤と、同様の役目を果たす事ができる。
【００７４】  そもそも、本発明の津波防止装置は、津波防止装置として単独で、使用する物ではなく、津波防止装置を多数、組合わせて、津波防止システムとして使用する物であり、陸地に設置してある、防波堤と組合わせて、共同で使用する物である。小規模津波防止システム、別名、津波到達防止システムは立て２ｋｍ  横５ｋｍの浮島を構成する物であり、その津波防止力は、従来からの一般的な防波堤より津波防止力が大きくその津波防止力は、津波防止システムが７、防波堤が３であり、その津波防止力割合いは、津波防止システムの方が、大きな津波防止力を有するものである。
【００７５】  東日本大震災以降、多くの浜辺の地域で、防波堤のカサ上げや、居住地域の、海辺から、遠く離れた高台への、移転などが行なわれているが、これに付いては、漁業を職業としている関係者にとっては、漁業を行なう上で、かなり不便な状況となり、漁業をなりわいとする、街の構造としても、かなりアンバランスな街の構造になってしまうが、本発明に於ける津波防止システムを、近辺の海へ設置した場合、そのような事を実施する事は、ほぼ、不要となる。
【００７６】  漁村などに於いて、従来から津波が発生した場合、漁船が津波によって損傷されるのを防ぐ為、各漁船は出港して、津波が終了するまで海上に於いて、船に乗っていなければ、ならなかったが、近海に、津波到達防止システムとしての、浮島を設置した場合、各漁船は、浮島へ接岸すれば、漁船の損傷は避けられる事になる為、津波対策としての、無駄な労力は、使用しなくても良い状況となる。
【００７７】  津波到達防止システムとしての、浮島を設置した近辺の街としては、近辺に巨大な漁場が出現した事になる為、漁業の街として、大きな利益が得られる事になる。
【００７８】  近年、多く使用されている、自然エネルギーを電力に変換する為の、太陽光発電としてのソーラーパネル、及び、風力発電としての風車は、それなりに見苦しく、住環境を、おびやかす、環境破壊的存在になっているが、本発明に於ける、津波防止システムとしての浮島は、原則として、住民の住む居住地域ではないので、どのような太陽光パネル及び風車を設置しても、住環境破壊という事にはならない。
【００７９】  津波防止システムに於ける、浮島の水面上に設置する、自然エルギーを電力に変換する為の、ソーラーパネルを使用しての太陽光発電、風車を使用しての風力発電、周囲の波を使用しての波動力発電は、それなりに規模が巨大である為、津波到達防止システムを管割する地方自治体は、発電事業として大きな利益を得る事ができる。
【発明を実施する為の最良の形態】
【００８０】  本発明は、単体としての津波防止装置を、数多く組み合わせて、津波防止システムとしての浮島を造成し、津波防止機能  発電基地機能  漁業基地機能を、もたせるものである。
【００８１】  本発明は、海上へ津波防止装置を設置する場合の、設置工事も、設置した津波防止装置を多数、組合わせて、津波防止システムを作成する場合の工事も、海中へもぐる事なく、海上のみで簡単に、設置工事、及び組合わせ工事も、行なえる構造になっている。つまり、簡単に津波防止装置が設置できて、簡単に、津波防止システムへの、組合わせ工事が行なえる事になる。
【００８２】  本発明の津波防止システムの、浮島に於ける浮島上面の、太陽光発電、風力発電、波動力発電の工事、及び浮島の水面下に於ける漁礁を作成する為の工事は、浮島が完成した後に実施するのではなく、浮島を作成しつつ、浮島の面積が拡大するごとに、浮島の上面の発電基地及び、浮島水面下の漁礁の作成を、実施する方法が、浮島全体の機能を完成させる上での、時間の短縮に於いて、望ましい事となる。
【００８３】  津波防止システムには、小規模津波防止システム、中規模津波防止システム、大規模津波防止システム、があるがまず最初に、小規模津波防止システム、つまり、津波到達防止システムの作成、設置を行なう事が望まれる。その理由は、小規模津波防止システム、つまり、津波到達防止システムは、陸上に設置する、防波堤と同等の役目を果たす事になり、各地方自治体としては、緊急を要する為である。故に、必要な場所へ必要なだけ、小規模津波防止システムとしての、津波到達防止システムを設置した後、中規模津波防止システムとしての、津波進行防止システム、及び、大規模津波防止システムとしての、津波発生防止システムの順で、設置する事が望ましい事となる。
【実施例】
【００８４】  以下、添付図面に従がって、実施説明する。１は耐久性プラスチック等、適宜材料によって形成された、津波防止装置本体１であるが、水に浮く箱形物体でありその水に浮く原理としては、材質その物が水に浮く物体であるが、箱形物体の内部に、気体としての空気を封入した物であり、この津波防止装置に於ける津波防止装置本体１を成すものである。２は津波防止装置本体１としての、箱形物体に於ける中央部に於いて、箱形物体の上下にかけて貫通する、円筒形の穴であるが、この使用目的は、箱形物体としての津波防止装置本体１の中央部から、貫通した円筒形の穴２を通じて、巨大モギコンブ３を海中へ投入し、津波防止装置本体１へ吊り下げる事を目的とする物である。３は巨大モギコンブであり、ビニール状の柔軟な材質で造られるが、大きさが巨大であり、津波防止装置本体１としての箱形物体の中央部に於ける、円筒形の穴２から海中へ投入され、津波防止装置本体１へ取付けられる事になるが、津波防止装置としての実質な作用は、この巨大モギコンブ３が、津波の進行を防止する事によって、津波による災害が、防止される事になる。４は巨大モギコンブ取付け固定部であが、津波防止装置本体１に於ける、箱形物体の中央部にある、円筒形の貫通穴２と、一部重複しており、小規模津波防止装置の場合で説明すれば、その円周の半径が、円筒形の貫通穴より１５ｃｍ長く、その深さは、津波防止装置本体１の表面から１５ｃｍ深い所まで用いる事になり、この場所で、巨大モギコンブ３は津波防止装置本体１へ取付けられ、海中へ吊り下げられる事になる。５は、巨大モギコンブ取付け棒であり、巨大モギコンブ取付け部４の中で、巨大モギコンブ３を、津波防止装置本体１へ取付ける為に使用する棒であるが、その使用方法としては、巨大モギコンブ折返し部７を、巨大モギコンブ取付け部４の中で、引っ掛けて、固定させて取付ける為の物であり、その長さは、円筒形貫通穴２の直径より長く、巨大モギコンブ取付け固定部４の直径より短かい棒５であり、円筒形貫通穴２から海中へ投入した巨大モギコンブ３の、巨大モギコンブ折返し部７を引っ掛けて、その棒５を、巨大モギコンブ取付け固定部４へしっかりと、巨大モギコンブ取付け棒止メ具６によって、固定して取付る事になる。６は、巨大モギコンブ取付け棒止メ具であり、上記に於いて記載した、巨大モギコンブ取付け棒５を、しっかりと、巨大モギコンブ取付け固定部４へ取付ける為の物であるが、海水によって、さびない材質の止メ具６が必要となり、さびない材質のボルト、ナット等が用いられる事になる。７は巨大モギコンブ折り返し部であり通常、巨大モギコンブ３の、上下末端に用いられる事になり、巨大モギコンブ３同士を、つなぎ合わせる為に用いられ、お互いの巨大モギコンブ３末端の、∪字形と逆∪字形、つまり、∩形とを組合わせる事により、巨大モギコンブ３同士が、つなぎ合わされる事になり、そのつなぎ合わせた部分は、巨大モギコンブ連結用止メ具８によって、しっかりと固定される事になる。８は巨大モギコンブ連結用止メ具であり、海水によって、さびない材質の、ボルト、ナット等が用いられるが、巨大モギコンブ折返し部７の、６ケ所程度に取付けて、巨大モギコンブ折返し部７によ���て、つながれた部分を、しっかりと固定する事になる。９は重りであるが、最初に海中へ投入される、巨大モギコンブ３の下方末端に取付けられる物であり、その理由としては、巨大モギコンブ３自身は、海水と同等の比重の物が用いられる事になる為、巨大モギコンブ３が海水中でゆれ動いたりせず、垂直の状態でいられるようにする為の重りであり、重すぎず、軽すぎず、適した重量の重りが用いられる事が必要となり、巨大モギコンブ３同士の連結方法としては、最初に海中へ投入される、巨大モギコンブ３の末端には、重り、９が取付けられるが、次からは、巨大モギコンブ折返し部７が、巨大モギコンブ３の末端に取付けられ、その巨大モギコンブ折返し部７の組合わせ連結によって、巨大モギコンブ３は、延長された長さに、なって行く事になる。１０は、津波防止装置連結部であるが、津波防止装置１としての箱形物体に於ける、各４面に、同等の物が設けられる事になり、４面の、それぞれの面の中央部に、箱形物体の上面から下面に掛けて、設けられる事になり、この津波防止装置連結固定部１０によって、津波防止装置本体１同士が組合わせ連結される事により、津波防止装置の組合わせによる、津波防止システムとしての、巨大な浮島が造成される事になる。
１１は津波防止装置固定ピンであるが、この固定ピン１１を用いて、しっかりした津波防止装置、同士の連結固定が、なされる事により、津波防止装置協同体としての、巨大な浮島を完成させる事ができるが、この固定ピン１１の取付け方法としては、津波防止装置本体１１同士を、組合わせ、接触させた、双方の津波防止装置連結固定部１０の上方から固定ピンを差し込んで上部から大ハンマーを用いて、固定ピンを打付ける事によって、双方の津波防止装置同士が、完全に、連結し、固定化される事により、作業員が海中へもぐる事もなく、津波防止システムとしての、浮島を完成させる事が可能となる。尚、津波防止システムに於ける、浮島を構成する津波防止装置も、他の一般的建造物と同様に、建造物としての寿命があり、その建造物としての材質にもよるが、５０年〜６０年が、建造物寿命となるものと思われるが、その場合、古い津波防止装置を新しい津波防止装置への、変換を行なうに当っての作業も、作業員が海中へもぐる事なく、海上面のみで、固定ピンを抜いて、新たな津波防止装置への変換を、容易、簡単な作業で行なう事ができる。
１２はフタでるが、津波防止装置本体１の上面中央部にある、巨大モギコンブ取付け固定部４のフタ１２であり、このフタ１２は、津波防止装置本体１の表面、に於いて、フタ１２の部分の高さと、他の部分の高さが、同一であり、しかも、頑丈で、丈夫なフタ１２である事が必要となる。その理由としては、このフタ１２の上を、自動車及びフォクリフト等が走行する事にもなる為である。
【図面の簡単な説明】
【００８５】
【図１】
2019127812.tif 000004
【図２】
2019127812.tif 000005
【図３】本発明に於け津波防止装置の、円筒形貫通穴、及び巨大モギコンブ取付け固定部のフタの側面図である。
【図４】
2019127812.tif 000006
【図５】本発明に於ける津波防止装置の、連結固定ピンの側面図である。
【図６】
2019127812.tif 000007
【図７】巨大モギコンブ取付け固定部の、一部欠断面図である。
【図８】
2019127812.tif 000008
【図９】巨大モギコンブの、つなぎ接続部に於ける実施例の正面図である。
【図１０】巨大モギコンブの、つなぎ接続部に於ける、実施例の側面図である。
【図１１】本発明の津波防止装置本体の、正面図である。
【図１２】
2019127812.tif 000009
【図１３】本発明の津波防止装置を、２個組合わせた場合の上面図である。
【図１４】本発明の津波防止装置を、９個組合わせた場合の上面図である。
【符号の説明】
【００８６】１．津波防止装置本体
２．円筒形貫通穴
３．巨大モギコンブ
４．巨大モギコンブ取付け固定部
５．巨大モギコンブ取付け棒
６．巨大モギコンブ取付け棒止メ具
７．巨大モギコンブ折返し部
８  巨大モギコンブ連結用止メ具用ボルト
９  巨大モギコンブ連結用止メ具用穴
１１  津波防止装置連結固定部
１２  津波防止装置連結固定用ピン
１３  フタ
【図１】
2019127812.tif 000010
【図２】
2019127812.tif 000011
【図３】
2019127812.tif 000012
【図４】
2019127812.tif 000013
【図５】
2019127812.tif 000014
【図６】
2019127812.tif 000015
【図７】
2019127812.tif 000016
【図８】
2019127812.tif 000017
【図９】
2019127812.tif 000018
【図１０】
2019127812.tif 000019
【図１１】
2019127812.tif 000020
【図１２】
2019127812.tif 000021
【図１３】
2019127812.tif 000022
【図１４】
2019127812.tif 000023